(57)【要約】【課題】登録しようとする地点に関して適切なカテゴリ情報を自動的に付与することにより、地点登録時のユーザー作業を軽減化し、且つ多数の登録地点を確実に管理可能なナビゲーション装置、方法及びプログラムを提供する。【解決手段】メインＣＰＵ及びその周辺回路４に、カテゴリ記憶制御部２６及び地点登録部２７が設けられている。カテゴリ記憶制御部２６は、地点検索部２２により地点を検索した時に用いたカテゴリを、ＤＲＡＭ６に一時的に保存する。地点登録部２７は、地点検索部２２がカテゴリに基づいて地点を検索した時、当該地点のカテゴリを、地点の位置情報と共に、ＦｌａｓｈＲＯＭ７又は外部記録装置制御部１４の登録地リストに記憶する。【選択図】図１
2010261789.tif 000002
【特許請求の範囲】
【請求項１】
地点の住所又は電話番号を含む基礎情報あるいは地点が属するカテゴリをユーザーが入力操作することで地図データ上の地点の中から所望の地点を検索する地点検索手段と、任意の地点を登録地点として登録する地点登録手段と、任意の地点を目的地として設定する目的地設定手段と、現在地を検出する現在地検出手段と、現在地から目的地までの経路を探索する経路探索手段と、前記経路の誘導案内を制御する経路誘導制御手段を有するナビゲーション装置において、
前記地点検索手段にて前記カテゴリを辿って地点を検索する時、前記カテゴリを一時的に保存するカテゴリ保存手段を備え、
前記地点登録手段は、前記地点検索手段の検索した地点を登録する時、当該地点の位置情報に関連付けて前記カテゴリ保存手段に一時保存した前記カテゴリを併せて記録するように構成されたことを特徴とするナビゲーション装置。
【請求項２】
前記地点登録手段は、既に登録された地点を、その地点の位置情報に関連付けて記録されたカテゴリごとに表示制御するように構成されたことを特徴とする請求項１に記載のナビゲーション装置。
【請求項３】
前記地点登録手段は、カテゴリとは別の検索条件から検索された地点に関してはカテゴリ無しで登録するように構成されたことを特徴とする請求項１又は２に記載のナビゲーション装置。
【請求項４】
前記地点登録手段は、前記地点検索手段にて地点の住所又は電話番号を含む基礎情報をユーザーが入力操作することで地点検索を行った場合、前記地点登録手段は、検索された地点に前記基礎情報を付与して記録するように構成されたことを特徴とする請求項３に記載のナビゲーション装置。
【請求項５】
地点の住所又は電話番号を含む基礎情報あるいは地点が属するカテゴリをユーザーが入力操作することで地図データ上の地点の中から所望の地点を検索する地点検索ステップと、任意の地点を登録地点として登録する地点登録ステップと、任意の地点を目的地として設定する目的地設定ステップと、現在地を検出する現在地検出ステップと、現在地から目的地までの経路を探索する経路探索ステップと、前記経路の誘導案内を制御する経路誘導制御ステップを行うナビゲーション方法において、
前記地点検索ステップにて前記カテゴリを辿って地点を検索する時、前記カテゴリを一時的に保存するカテゴリ保存ステップを含み、
前記地点登録ステップでは、前記地点検索ステップにて検索した地点を登録する時、当該地点の位置情報に関連付けて前記カテゴリ保存ステップにて一時保存した前記カテゴリを併せて記録することを特徴とするナビゲーション方法。
【請求項６】
コンピュータを利用して、地点の住所又は電話番号を含む基礎情報あるいは地点が属するカテゴリをユーザーが入力操作することで地図データ上の地点の中から所望の地点を検索する地点検索機能と、任意の地点を登録地点として登録する地点登録機能と、任意の地点を目的地として設定する目的地設定機能と、現在地を検出する現在地検出機能と、現在地から目的地までの経路を探索する経路探索機能と、前記経路の誘導案内を制御する経路誘導制御機能をコンピュータに実現させるナビゲーションプログラムにおいて、
前記地点検索機能にて前記カテゴリを辿って地点を検索する時、前記カテゴリを一時的に保存するカテゴリ保存機能をコンピュータに実現させ、
前記地点登録機能では、前記地点検索機能にて検索した地点を登録する時、当該地点の位置情報に関連付けて前記カテゴリ保存機能にて一時保存した前記カテゴリを併せて記録することをコンピュータに実現させることを特徴とするナビゲーションプログラム。
【発明の詳細な説明】
【技術分野】
【０００１】
本発明は、予め設定されたカテゴリに該当する地点を検索する機能と、ユーザー操作により任意の地点を登録する機能を備えたナビゲーション技術に係り、特に、カテゴリにより検索された地点を登録した際、その登録地点をカテゴリ分類して管理するナビゲーション装置、その方法及びプログラムに関するものである。
【背景技術】
【０００２】
一般に、ナビゲーション装置とは、ユーザーの望む目的地までの経路を探索し、現在地および探索した経路を随時、地図データ上に表示して、ユーザーを目的地まで誘導する装置である。中でも車載用のナビゲーション装置は広く普及しており、その高機能化が進んでいる。なお、ここで言う目的地は、行き先としての地点であり、最終的な目的地だけではなく、経由地も含むものとする。
【０００３】
以下、図７を参照して、車載用ナビゲーション装置の概要について、具体的に説明する。図７に示すように、ナビゲーション装置には、自動車の現在地である自車位置を検出する手段として、絶対位置・方位検出部１、相対方位検出部２及び車速検出部３が設けられている。
【０００４】
このうち、絶対位置・方位検出部１は、自車位置について、地表での絶対的な位置座標や方位を計算するために、ＧＰＳ衛星から送られてくるＧＰＳ電波をアンテナやレシーバーなどで受信する部分である。また、相対方位検出部２は、ジャイロセンサーなどを使って自車位置の相対的な方位を検出する部分である。車速検出部３は、自車位置における速度を計算するために自動車より得られる車速パルスを処理する部分である。
【０００５】
また、ナビゲーション装置には、装置全体の制御部としてメインＣＰＵ及びその周辺回路４が設置されている。メインＣＰＵ及びその周辺回路４によって実現される基本的な機能としては、地図データや自車位置を表示する機能、任意地点を目的地に設定する機能、ＧＰＳ情報などにより自車位置を取得する機能、自車位置から目的地までの経路を探索する機能、探索された経路の経路誘導を制御する経路誘導制御機能などがある。
【０００６】
さらに、メインＣＰＵ及びその周辺回路４との間で情報のやりとりを行うデータ記憶部として、ＲＯＭ５、ＤＲＡＭ６、ＦｌａｓｈＲＯＭ７、ＶＲＡＭ８が設けられている。このうちＲＯＭ５は、ＢＩＯＳやブートプログラムなどを格納しており、本装置の起動時にメインＣＰＵ及びその周辺回路４によってアクセスされる部分である。
【０００７】
ＤＲＡＭ６はワークエリアなどに使用されるメモリであり、ＶＲＡＭ８は後述する表示部１０でビデオ表示を行うためのメモリである。さらに、ＦｌａｓｈＲＯＭ７は不揮発性メモリであって、自動車のアクセサリ電源など本装置のメイン電源がオフになっている間も、バックアップ電源によってメモリ内容が保持されるようになっている。
【０００８】
また、ナビゲーション装置には出力部１０及び入力部１１が設置されている。これら出力部１０及び入力部１１は、ユーザーインターフェース部９を介してメインＣＰＵ及びその周辺回路４に接続されている。ユーザーインターフェース部９は、出力部１０及び入力部１１とメインＣＰＵ及びその周辺回路４とを結ぶものであって、Ｉ／Ｏ制御回路やドライバーなどを使用している。
【０００９】
出力部１０は、ディスプレイ部１０ａ及びスピーカー１０ｂから構成される。ディスプレイ部１０ａは地図データや自車位置、案内表示、さらには各種の操作メニューを表示するようになっている。スピーカー１０ｂは誘導案内時の音声を出力するものである。
【００１０】
また、入力部１１はユーザーからの操作命令をメインＣＰＵ及びその周辺回路４に入力するための部分であって、タッチパネル部１１ａ及びリモコン１１ｂから構成される。タッチパネル部１１ａはディスプレイ部１０ａの表示画面上に形成されている。
【００１１】
さらに、ナビゲーション装置には、ディスク制御部１２、ＦＭ多重受信及び処理部１３、外部記録装置制御部１４が設けられており、これらの構成部もメインＣＰＵ及びその周辺回路４に接続されている。ディスク制御部１２は、地図データ、店舗や建造物、行楽地などの地点情報を集約した検索データベースなどを記憶するための手段であり、ＣＤ−ＲＯＭやＤＶＤ−ＲＯＭ、ハードディスクなどから構成される。
【００１２】
ＦＭ多重受信及び処理部１３は、ＦＭ放送波を受信し、受信した電波から様々な交通情報の処理を行う部分である。外部記録装置制御部１４は、外部記録媒体（メモリースティックやメモリーカード、ＣＦカードなど）にデータを記録し、且つデータ読み出しを行うためのインターフェースである。
【００１３】
以上のようなナビゲーション装置において、目的地を設定する場合には、ディスク制御部１２に記憶された検索データベースから、目的地となる地点を検索するようになっている。この地点検索に関しては、検索対象となる地点の住所や電話番号などの基礎情報をユーザーが入力操作することにより、所望の地点を検索している。
【００１４】
また、ユーザーが地点の住所や電話番号を把握していない時や、ユーザーの行動目的は明確だが（食事をしたい、あるいは宿泊したいなど）、目的地となる地点を絞り込めていない時がある。このような時には、地点の属するカテゴリを絞り込んでいくことで、そのカテゴリに該当する地点を探していく検索手法、いわゆるカテゴリ検索が有効である。  
【００１５】
以下、カテゴリ検索について具体的に説明する。図７に示したナビゲーション装置では、ディスク制御部１２に記憶した検索データベースを利用している。ユーザーは、タッチパネル部１１ａから入力操作を行い、ディスプレイ部１０ｂにカテゴリ分類を表示し、カテゴリを辿って、所望の地点を探し出している。
【００１６】
ディスク制御部１２に記憶する検索データベースは、図８に示すような構成となっている。図８から明らかなように、検索データベースでは、カテゴリ分類として、飲食店、レジャー施設、宿泊施設などが設定されており、各カテゴリに属する地点として、飲食店Ａ、Ｂ、…Ｘ、行楽地Ａ、Ｂ、…Ｙ、ホテルＡ、Ｂ、…Ｚが格納されている。
【００１７】
続いて、図９及び図１０にて操作画面例を示す。図９は、飲食店を探し出すための操作画面遷移を示しており、図１０は、行楽地を探し出すための操作画面遷移を示している。まず、ユーザーの入力操作により、目的地検索メニュー画面をディスプレイ部１０ａの表示画面上に呼び出す。図９では「飲食店」という表示領域を、図１０では「レジャー施設」という表示領域を、ユーザーがタッチすることでカテゴリを選択する（各図の上段に図示）。
【００１８】
以上のようにしてカテゴリを選択すると、ディスプレイ部１０ａの表示画面は、タッチパネル部１１目的地検索メニュー画面から、該当施設リスト画面に切り替わり、各カテゴリに属する地点のリストが表示される（図９及び図１０の中段に図示）。ディスプレイ部１０ａの表示画面はタッチパネル部１１ａとなっているので、「飲食店Ｘ」あるいは「行楽地Ｙ」という表示領域を、ユーザーがタッチすることで、その地点を選択する。
【００１９】
所望の地点選択を行った結果、該当施設リスト画面から、地点表示メニュー画面に切り替わり、地点の地図データと共に、「目的地に設定」あるいは「経由地に設定」といった地点操作メニューが表示される（図９及び図１０の下段に図示）。この表示画面では、選択された地点が＋印にて地図上に示されると同時に、画面右上に「目的地に設定」、「経由地に設定」、「地点登録」というメニュー表示がなされる。
【００２０】
ここで、「目的地に設定」という表示領域をユーザーがタッチすれば、「飲食店Ｘ」あるいは「行楽地Ｙ」を目的地として設定することになる。このようなカテゴリ検索によれば、ユーザーが、行きたい地点の住所や電話番号などを知らなくとも、その地点が属するカテゴリさえを把握していれば、カテゴリから所望の地点を探し出して、当該地点を目的地や経由地に設定することが可能である。
【００２１】
さらに、ナビゲーション装置には、上記地点検索機能に加えて、過去に利用した地点を登録する地点登録機能を備えたものも多い。地点登録とは、ユーザーが目的地として設定した地点について、その地点を再度利用するとユーザーが判断した場合に、ユーザー操作により当該地点を登録地点として登録し、登録地リストを作成する機能である。
【００２２】
図９及び図１０の下段にて示したように、地点表示メニュー画面には、「目的地に設定」、「経由地に設定」というメニュー表示に加えて、「地点登録」という表示がある。ユーザーが、この「地点登録」という表示領域をタッチすれば、前記地点登録機能が働くことになる（図１１参照）。このとき、図７のナビゲーション装置では、不揮発性メモリであるＦｌａｓｈＲＯＭ７又は外部記録装置制御部１４に、地点の位置情報が登録されることになる。
【００２３】
このような地点登録機能を備えたナビゲーション装置によれば、目的地や経由地として使用頻度の高い地点を事前に登録しておくことで、作成した登録地リストの中から所望の地点を目的地や経由地として迅速に選ぶことができる。したがって、目的地や経由地の設定に際して、地点検索を省くことができ、作業性が向上する。
【００２４】
ところで、登録地リストにリストアップされる登録地点は、ユーザーによって登録された順に並べられるのが普通である。このため、ごく最近登録した登録地点を呼び出す場合には便利であるが、反対に、登録してからの時間が長い登録地点に関しては、これを呼び出すには不便であった。
【００２５】
また、ユーザーがある地点を登録した後、仮に登録地点の利用頻度が低下したからといって、ユーザーが当該登録地点を登録地リストから削除する作業をわざわざ行うことは稀である。したがって、地点登録機能を長く利用していると、登録地点の件数は増えていく一方になる。
【００２６】
しかも、登録地リストでは登録地点の名称だけを表示するか、あるいは名称に住所あるいは座標を加えて表示するのが一般的である。したがって、登録地点の件数が多くなり、登録地リストが長大化する。その結果、各登録地点が判別し難くなって、ユーザーが所望の登録地点を探し出すのに手間取ること傾向にある。
【００２７】
そこで、登録地点数が多くなっても、ユーザーが所望の登録地点を見つけ易いようにした技術が待ち望まれていた。例えば、特許文献１記載の従来技術が提案されている。特許文献１記載の技術では、地点登録時に、登録対象である地点のカテゴリ（特許文献１ではパーソナル、ビジネス、レジャーなど）をユーザーが選び、前記地点のカテゴリを付けた上で登録する点に特徴がある。
【００２８】
このような従来技術によれば、登録地点数が増大しても、登録地点と共にその地点のカテゴリを表示することができる。したがって、ユーザーは、カテゴリを目安にして、登録地リストの中から所望の登録地点を簡単に探し出すことが可能である。
【先行技術文献】
【特許文献】
【００２９】
【特許文献１】特開２００３−２０７３５６号公報
【発明の概要】
【発明が解決しようとする課題】
【００３０】
しかしながら上記特許文献１の技術には、次のような問題点があった。すなわち、特許文献１の技術では、ユーザーが地点登録を行うとき、その登録地点に対応したカテゴリについて、ユーザー自身が決めなくてはならない。カテゴリは複数の候補から選択するものであるが、このカテゴリの選択作業は時間がかかることがある。
【００３１】
特許文献１では、４つの大分類と、各大分類の中にはランドマークで示される１０種類の細分類にある。このようにカテゴリが多岐にわたると、登録しようとする地点がどのカテゴリに該当するのか、ユーザーが判断を迷うことがある。したがって、地点登録時のカテゴリ選択作業は、ユーザーの作業負担は大きかった。
【００３２】
しかも、カテゴリの決定が難しかった地点は、地点登録後にカテゴリが表示された場合も、そのカテゴリと地点との結びつきが弱いことが多い。したがって、カテゴリを目安にしても、登録地点を素早く見つけることができないことがあった。
【００３３】
本発明は、上記の要望を満たすために提案されたものであり、その目的は、登録しようとする地点に関して適切なカテゴリを自動的に付与することにより、地点登録時のユーザー作業を軽減化し、且つ多数の登録地点を確実に管理可能である、作業性及び操作性に優れたナビゲーション装置、方法及びプログラムを提供することにある。
【課題を解決するための手段】
【００３４】
上記目的を達成するために、請求項１の発明は、地点の住所又は電話番号を含む基礎情報あるいは地点が属するカテゴリをユーザーが入力操作することで地図データ上の地点の中から所望の地点を検索する地点検索手段と、任意の地点を登録地点として登録する地点登録手段と、任意の地点を目的地として設定する目的地設定手段と、現在地を検出する現在地検出手段と、現在地から目的地までの経路を探索する経路探索手段と、前記経路の誘導案内を制御する経路誘導制御手段を有するナビゲーション装置において、前記地点検索手段にて前記カテゴリを辿って地点を検索する時、前記カテゴリを一時的に保存するカテゴリ保存手段を備え、前記地点登録手段は、前記地点検索手段の検索した地点を登録する時、当該地点の位置情報に関連付けて前記カテゴリ保存手段に一時保存した前記カテゴリを併せて記録するように構成されたことを特徴とするものである。
【００３５】
請求項５の発明は、請求項１の発明を方法の観点から捉えたものであり、地点の住所又は電話番号を含む基礎情報あるいは地点が属するカテゴリをユーザーが入力操作することで地図データ上の地点の中から所望の地点を検索する地点検索ステップと、任意の地点を登録地点として登録する地点登録ステップと、任意の地点を目的地として設定する目的地設定ステップと、現在地を検出する現在地検出ステップと、現在地から目的地までの経路を探索する経路探索ステップと、前記経路の誘導案内を制御する経路誘導制御ステップを行うナビゲーション方法において、前記地点検索ステップにて前記カテゴリを辿って地点を検索する時、前記カテゴリを一時的に保存するカテゴリ保存ステップを含み、前記地点登録ステップでは、前記地点検索ステップにて検索した地点を登録する時、当該地点の位置情報に関連付けて前記カテゴリ保存ステップにて一時保存した前記カテゴリを併せて記録することを特徴としている。
【００３６】
請求項６の発明は、請求項１、５の発明をプログラムの観点から捉えたものであり、コンピュータを利用して、地点の住所又は電話番号を含む基礎情報あるいは地点が属するカテゴリをユーザーが入力操作することで地図データ上の地点の中から所望の地点を検索する地点検索機能と、任意の地点を登録地点として登録する地点登録機能と、任意の地点を目的地として設定する目的地設定機能と、現在地を検出する現在地検出機能と、現在地から目的地までの経路を探索する経路探索機能と、前記経路の誘導案内を制御する経路誘導制御機能をコンピュータに実現させるナビゲーションプログラムにおいて、前記地点検索機能にて前記カテゴリを辿って地点を検索する時、前記カテゴリを一時的に保存するカテゴリ保存機能をコンピュータに実現させ、前記地点登録機能では、前記地点検索機能にて検索した地点を登録する時、当該地点の位置情報に関連付けて前記カテゴリ保存機能にて一時保存した前記カテゴリを併せて記録することをコンピュータに実現させることを特徴とする。
【００３７】
以上のような本発明では、地点検索時にユーザーが選んだカテゴリを、カテゴリ保存手段に一時的に保存する。そして、カテゴリを辿って検索した地点を地点登録手段にて登録しようとする場合には、その地点の位置情報とカテゴリとを関連付けて記録する。
【００３８】
つまり、カテゴリ検索された地点については、検索時に使用したカテゴリが自動的に付与されることになる。このため、地点登録数が増えたとしても、カテゴリを目印にして、多数ある登録地点の中から、ユーザーが望む登録地点を容易に見つけることが可能である。
【００３９】
しかも、登録地点に付与されたカテゴリは、当該地点を検索した時のカテゴリであるため、ユーザーにとっては、付与されたカテゴリと登録地点との結びつきは強い。したがって、カテゴリを目安にして、登録地点を素早く見つけることができる。
【００４０】
請求項２の発明は、請求項１に記載のナビゲーション装置において、前記地点登録手段は、既に登録された地点を、その地点の位置情報に関連付けて記録されたカテゴリごとに表示制御するように構成されたことを特徴とするものである。
【００４１】
以上のような請求項２の発明においては、地点登録手段が登録地点をカテゴリ別に表示制御するので、ユーザーは登録地点を把握し易く、所望の登録地点を簡単に探し出すことが可能である。しかも、登録地点は、ユーザーによるカテゴリ検索から導かれたものなので、ユーザーが登録地点のカテゴリを選択する際に迷いがなく、登録地点をより迅速に見つけることができる。
【００４２】
請求項３の発明は、請求項１又は２に記載のナビゲーション装置において、前記地点登録手段は、カテゴリとは別の検索条件から検索された地点に関してはカテゴリ無しで登録するように構成されたことを特徴とする。
【００４３】
請求項４の発明は、請求項３に記載のナビゲーション装置において、前記地点検索手段にて地点の住所又は電話番号を含む基礎情報をユーザーが入力操作することで地点検索を行った場合、前記地点登録手段は、検索された地点に前記基礎情報を付与して記録するように構成されたことを特徴とする。
【００４４】
上記の構成を有する請求項３の発明では、カテゴリとは別の検索条件から検索された地点について、これを登録しようとする場合に、当該地点のカテゴリが無い状態で記録することになる。特に、請求項４の発明では、地点の住所又は電話番号を含む基礎情報によって地点検索を行った時、検索された地点に基礎情報を付与して記録している。このように、地点検索の手法に応じて、登録地点に付与される情報を変えたことで、登録地点の識別力が高まり、所望の登録地点を見つけ出すことが容易となる。
【発明の効果】
【００４５】
本発明のナビゲーション装置、方法及びプログラムによれば、検索時に用いたカテゴリを付与して地点登録を行うことにより、地点登録時のユーザー作業を軽減化が図れると同時に、登録地点の管理が容易となる。
【発明を実施するための形態】
【００４６】
以下、本発明を実施するための形態の一例について、図１〜図６を参照して具体的に説明する。本実施形態の概要については、図７に示した従来例と同様であるため、説明は省略する。
【００４７】
（１）本実施形態の構成
本実施形態は、カテゴリ検索及び地点登録を行う車載用ナビゲーション装置に適用したものであって、図１に示すように、メインＣＰＵ及びその周辺回路４には、自車位置取得部２０、出発地設定部２１、地点検索部２２、目的地設定部２３、経路探索部２４、案内制御部２５が設けられている。
【００４８】
自車位置取得部２０は、ＧＰＳ情報や、ジャイロセンサーなどからの情報に基づいて自車位置を取得する部分である。出発地設定部２１は前記自車位置を出発地として設定する部分である。地点検索部２２は、地図データ上の地点を、その地点の住所や電話番号などの基礎情報、あるいは地点の属するカテゴリに基づいて地点検索を行う部分である。
【００４９】
目的地設定部２３は、地点検索部２２にて検索した地点を含めて、ユーザーの入力操作により任意の地点を目的地として設定する部分である。経路探索部２４は、出発地設定部２１の設定した出発地から、目的地設定部２３の設定した目的地までの経路を探索する部分である。案内制御部２５は、ディスプレイ部１０ａの表示画面上での案内表示や、スピーカー１０ｂからの案内音声によって、経路探索部２４にて探索された経路の案内制御を実施する部分である。
【００５０】
本実施形態の特徴は、地点検索時に用いたカテゴリを一時的に保存することと、検索地点の登録に際して、一時保存しておいたカテゴリを登録地点の位置情報と関連付けて記録することにある。これらを実現するハードウェア構成として、メインＣＰＵ及びその周辺回路４に、カテゴリ記憶制御部２６及び地点登録部２７が設けられている。
【００５１】
地点検索部２２がカテゴリ検索によって地点を検索した場合に、カテゴリ記憶制御部２６は、地点検索部２２にて用いたカテゴリについて、そのカテゴリをＤＲＡＭ６に一時的に保存するようになっている。保存されるカテゴリとは、データとしてはその名称データであって、具体的には、飲食店、レジャー施設、宿泊施設などである。
【００５２】
地点登録部２７は、地点検索部２２にて検索した地点を含め、ユーザーの入力操作によって、不揮発性メモリであるＦｌａｓｈＲＯＭ７又は外部記録装置制御部１４に、任意の地点の位置情報を記録し、登録地リストを作成する部分である。また、地点登録部２７は、地点検索部２２がカテゴリに基づいて地点を検索した時、当該地点のカテゴリを、地点の位置情報と共に、ＦｌａｓｈＲＯＭ７又は外部記録装置制御部１４上の登録地リストに記憶するようになっている。
【００５３】
（２）本実施形態による地点登録処理
次に、本実施形態による地点登録処理について、図２のフローチャートを参照して説明する。まず、ユーザーの入力操作により、ディスプレイ部１０ａの表示画面に目的地検索メニュー画面が表示され（上記図９及び図１０の上段参照）、表示画面上に複数のカテゴリの表示と登録地リストという検索メニューが表示される（Ｓ１０１）。
【００５４】
ディスプレイ部１０ａの表示画面はタッチパネル部１１ａとなっているため、所望のカテゴリが表示された領域をユーザーがタッチすることにより、タッチされた表示領域のカテゴリが選択されたことになる（Ｓ１０２のＹｅｓ）。選択されたカテゴリ、より詳しくはカテゴリの名称データが、ＤＲＡＭ６に一時的に保存される（Ｓ１０３）。
【００５５】
また、ユーザーがカテゴリを選択したことで、ディスプレイ部１０ａの表示画面は選択カテゴリに属する地点情報のリスト表示に切り替わり、表示画面上に複数の地点情報がリスト表示される（Ｓ１０４）。続いて、所望の地点情報が表示された領域をユーザーがタッチすると、タッチされた表示領域の地点情報が選択されたことになる（Ｓ１０５のＹｅｓ）。
【００５６】
このようにして、ユーザーが所望の地点を選択したことで、ディスプレイ部１０ａの表示画面は選択された地点の地図及び地点操作メニューの表示となる（Ｓ１０６）。この画面において、地点登録が表示された領域をユーザーがタッチすることで、地点登録処理が選択されたことになる（Ｓ１０７のＹｅｓ）。その結果、ＤＲＡＭ６に一時保存したカテゴリの名称と、選択された地点の位置情報とを関連付けた上で、これらの情報を不揮発性メモリであるＦｌａｓｈＲＯＭ７又は外部記録装置制御部１４上の登録地リストに記録する（Ｓ１０８）。
【００５７】
図３では、登録地リストの表示例を示している。図３の登録地リストでは、地点情報として地点の名称と座標と共に、各地点が属するカテゴリが一覧表示されている。このような登録地リストでは、地点情報とカテゴリとが関連付けられているので、単一のカテゴリに属する地点だけを表示することが可能となっている（後段の登録地リスト表示処理にて詳述）。
【００５８】
（３）本実施形態による登録地リスト表示処理
続いて、本実施形態において登録地リストを表示する処理について、図４のフローチャート及び図５及び図６の画面遷移例を参照して説明する。まず、ユーザー操作により目的地検索メニュー画面がディスプレイ部１０ａの表示画面に表示され（図５上段に図示）、画面上に複数のカテゴリの表示と登録地リストという検索メニュー表示がなされる（Ｓ２０１）。
【００５９】
前述したように、ディスプレイ部１０ａの表示画面はタッチパネル部１１ａとなっているため、「登録地リスト」という表示された領域をユーザーがタッチすることにより、登録地リストの表示することが選択されたことになる（Ｓ２０２のＹｅｓ）。これにより、登録地リストよりカテゴリ情報が読み出され（Ｓ２０３）、ディスプレイ部１０ａの表示画面は、図５下段に示すような複数のカテゴリが表示されたカテゴリリストの表示画面となる（Ｓ２０４）。
【００６０】
続いて、図５の下段にて示したカテゴリリストの中から、ユーザーのタッチ操作により、登録地のカテゴリが選択されると（Ｓ２０５のＹｅｓ、図５下段では飲食店を選択）、ディスプレイ部１０ａの表示画面は選択したカテゴリに属する登録地点情報の登録地リストの表示に切り替わり、表示画面上に登録地の地点情報が表示される（Ｓ２０６、図６上段に図示）。
【００６１】
続いて、登録地リストの中から所望の地点情報が表示された領域をユーザーがタッチすると、タッチされた表示領域の地点情報が選択されたことになる（Ｓ２０７のＹｅｓ、図６上段では飲食店Ｂを選択）。このようにして、ユーザーが所望の地点を選択したことで、表示部１０の表示画面は選択された地点の地図及び地点操作メニューの表示となる（Ｓ２０８、図６下段に図示）。
【００６２】
図６下段にて示した表示画面では、選択された登録地である飲食店Ｂの地図表示と、「目的地に設定」及び「経由地に設定」という地点操作メニューが表示される。ここでは、「目的地に設定」という表示領域をユーザーがタッチすれば、「飲食店Ｂ」を目的地として設定することになる。なお、飲食店Ｂは登録地点として登録済みなので、「地点登録」という操作メニュー表示は削除されている。
【００６３】
（４）本実施形態の作用効果
以上の本実施形態の作用効果は次の通りである。本実施形態においては、カテゴリ検索時にユーザーが選んだカテゴリをＤＲＡＭ６に一時保存しておき、カテゴリ検索した地点を登録しようとする場合に、その登録地点の位置情報に、前記カテゴリの名称を関連付けて記録している。
【００６４】
つまり、カテゴリ検索された地点に対して、検索時に用いたカテゴリを自動的に付与した上で登録することが可能である。このため、地点登録時にユーザー自身が当該地点のカテゴリを選択する必要が無く、ユーザーの作業負担を軽くすることができる。
【００６５】
また、地点登録数が増えたとしても、カテゴリを目印にして、多数ある登録地点の中から、ユーザーが望む登録地点を探し出すことが簡単である。しかも、登録地点に付与されるカテゴリは、当該地点を検索した時にユーザーが自ら選んだカテゴリである。このため、ユーザーにとっては、付与されたカテゴリと登録地点とは心理的に強く結びついており、カテゴリを目安にして、登録地点を素早く見つけることができる。
【００６６】
（５）他の実施形態
なお、本発明は以上の実施形態に限定されるものではない。上記の実施形態は、周辺装置を備えたコンピュータをプログラムで制御することで実現しているが、この場合のハードウェアやプログラムの実現態様は各種変更可能である。
【００６７】
また、本発明は、ナビゲーション装置及びその方法に加えて、プログラムあるいはプログラムを記録したコンピュータ読取可能な記録媒体としても把握可能である。プログラムはナビゲーション装置に組み込まれたＣＰＵや各種チップセットといった物理的な処理装置を活用することで、本発明の作用効果を実現する。さらに、上記実施形態は車載用の装置に適用したが、これに限らず、携帯用のナビゲーション装置に採用することも可能である。
【００６８】
ところで、地点検索に際して、カテゴリとは別の検索条件、例えば住所や電話番号などの地点の基礎情報から検索することがある。この場合には、地点検索時にカテゴリを利用していないので、検索された地点を登録する場合には、カテゴリをブランクとして登録地リストに記録するようにしてもよい。あるいは、検索された地点に対し検索条件となった基礎情報を付与して登録地リストに記録するようにしてもよい。
【００６９】
上述したように、従来の登録地リストは登録地点の名称のみ、もしくは名称に住所あるいは座標を加えて表示したものが多いので、仮に検索条件が電話番号であれば、登録地リストにおける各登録地点の情報量は確実に増えることになる。
【００７０】
このような登録地リストを有する実施形態によれば、カテゴリ検索した上で登録された地点のみがカテゴリ分類され、カテゴリ検索以外の検索手法を用いた場合ではカテゴリ欄が空白となるか、あるいは基礎情報が記載されるので、登録地点の識別性が向上する。すなわち、多くの登録地点があっても、所望の登録地を素早く見つけ出すことができる。
【００７１】
また、別の実施形態として、電源がＯＦＦされるまで検索時のカテゴリ情報を保持しておき、カテゴリ検索して設定した目的地付近（一般に目的地すばりが降車位置ではない為）で地点登録操作が行われた場合に検索時のカテゴリとともに登録するようにしてもよい。
【００７２】
さらに、別の実施形態としては、前記目的地に到着して、電源ＯＦＦし、その後、再び電源がＯＮされるまでは検索時のカテゴリ情報を保持しておき（この場合には、ＤＲＡＭ６ではなく、ＦｌａｓｈＲＯＭ７或いは外部記憶制御部１４に一時記憶させる）、車両が動き出す前に地点登録された場合に検索時のカテゴリ情報と登録するようにしてもよい。なお、地点登録される前に車両が走り始めたら、ＦｌａｓｈＲＯＭ７或いは外部記憶制御部１４に一時記憶させた検索時のカテゴリを消去しても良いし、次回に設定されたカテゴリ情報等で上書きしても良い。
【図面の簡単な説明】
【００７３】
【図１】本発明に係る代表的な実施形態の概要を示す構成図。
【図２】本実施形態による地点登録処理のフローチャート。
【図３】登録地リストの表示例を示す図。
【図４】本実施形態による登録地リスト表示処理のフローチャート。
【図５】本実施形態による登録地リスト表示処理時の画面遷移を示す図。
【図６】本実施形態による登録地リスト表示処理時の画面遷移を示す図。
【図７】従来の車載用ナビゲーション装置の概要を示す構成図。
【図８】地点情報の検索データベースの構成例を示す図。
【図９】飲食店を探し出すための操作画面遷移を示す図。
【図１０】行楽地を探し出すための操作画面遷移を示す図。
【図１１】選択された地点を目的地に設定する際の表示例を示す図。
【符号の説明】
【００７４】
１…絶対位置・方位検出部
２…相対方位検出部
３…車速検出部
４…メインＣＰＵ及びその周辺回路
５…ＲＯＭ
６…ＤＲＡＭ
７…ＦｌａｓｈＲＯＭ
８…ＶＲＡＭ
９…ユーザーインターフェース部
１０…表示部
１１…入力部
１２…ディスク制御部
１３…ＦＭ多重受信及び処理部
１４…外部記録装置制御部
２０…自車位置取得部
２１…出発地設定部
２２…地点検索部
２３…目的地設定部
２４…経路探索部
２５…案内制御部
２６…カテゴリ記憶制御部
２７…地点登録部
【図１】
2010261789.tif 000003
【図２】
2010261789.tif 000004
【図３】
2010261789.tif 000005
【図４】
2010261789.tif 000006
【図５】
2010261789.tif 000007
【図６】
2010261789.tif 000008
【図７】
2010261789.tif 000009
【図８】
2010261789.tif 000010
【図９】
2010261789.tif 000011
【図１０】
2010261789.tif 000012
【図１１】
2010261789.tif 000013